(57)【要約】【課題】  着用者の仙腸関節および股関節をサポートすることができるとともに、着用者の骨盤を適度に前傾させることができるガードルを提供する。【解決手段】  ガードル１０は、着用されるための本体２０と、本体２０を着用している着用者８０の骨盤を取り囲む位置に本体２０に固定された伸縮性のある当て布である骨盤用布３０とを備えており、骨盤用布３０は、着用者８０の正面側で着用者８０の前上腸骨棘の正面側を通らず前上腸骨棘より下部の正面側を通り、着用者８０の側面側で着用者８０の大転子の側面側を通らず大転子より上部の側面側を通り、着用者８０の背面側で着用者８０の後上腸骨棘の背面側を通るように環状に延在しており、骨盤用布３０は、延在方向において、延在方向に直交する方向より伸縮性が高いことを特徴とする。【選択図】  図３
2013253335.tif 000002
【特許請求の範囲】
【請求項１】
着用されるための本体と、前記本体を着用している着用者の骨盤を取り囲む位置に前記本体に固定された伸縮性のある当て布である骨盤用布とを備えており、
前記骨盤用布は、前記着用者の正面側で前記着用者の前上腸骨棘の正面側を通らず前記前上腸骨棘より下部の正面側を通り、前記着用者の側面側で前記着用者の大転子より上部の側面側を通り、前記着用者の背面側で前記着用者の後上腸骨棘の背面側を通るように環状に延在しており、
前記骨盤用布は、延在方向において、延在方向に直交する方向より伸縮性が高いことを特徴とするガードル。
【請求項２】
前記着用者の臀部を引き上げるために前記本体に固定された伸縮性のある当て布である臀部用布を備えており、
前記臀部用布は、前記着用者の側面側で前記大転子の側面側を通り、前記着用者の背面側で前記着用者の前記臀部を下から支えるように延在しており、
前記臀部用布は、延在方向において、延在方向に直交する方向より伸縮性が高く、
前記臀部用布の延在方向の端は、前記着用者の側面側で前記骨盤用布の縁に固定されていることを特徴とする請求項１に記載のガードル。
【請求項３】
前記着用者の下腹部を引き上げるために前記本体に固定された伸縮性のある当て布である下腹部用布を備えており、
前記下腹部用布は、前記着用者の正面側の下部で前記着用者の恥骨の正面側を通り、前記着用者の正面側の上部に向けて幅が広くなるよう延在しており、
前記下腹部用布は、延在方向において、延在方向に直交する方向より伸縮性が高く、
前記下腹部用布の下部は、前記骨盤用布に重なった状態で前記骨盤用布に固定されていることを特徴とする請求項２に記載のガードル。
【発明の詳細な説明】
【技術分野】
【０００１】
本発明は、着用者の腹部や臀部などの部位の形状を補整することができるガードルに関する。
【背景技術】
【０００２】
従来のガードルとして、着用されるためのガードル本体と、ガードル本体を着用している着用者の腹部を矯正するためにガードル本体に固定された当て布である腹部矯正布および腹部矯正補助帯と、着用者の臀部を矯正するためにガードル本体に固定された当て布であるヒップ矯正補助帯とを備えているガードルが知られている（特許文献１参照。）。腹部矯正布は、着用者の正面側でダイヤ形状に形成されている。腹部矯正補助帯は、腹部矯正布の両側下端付近から、着用者の背面側まで、斜めに上がるように延在している。ヒップ矯正補助帯は、着用者の両脇から、着用者の背面側まで、斜めに下がるように延在している。腹部矯正布、腹部矯正補助帯およびヒップ矯正補助帯は、伸び難い布である。
【０００３】
また、従来のガードルとして、着用されるための本体と、本体を着用している着用者の下腹部を引き上げるために本体に固定された伸縮性のある当て布であるパワーネットと、着用者の臀部を引き上げるために本体に固定された伸縮性のある当て布であるパワーネットとを備えているガードルも知られている（特許文献２参照。）。本体は、着用者の腹部の形を整えるための圧迫部を備えている。圧迫部は、着用者の正面側で着用者の腹部に当接する面に配置されている。着用者の下腹部を引き上げるためのパワーネットは、着用者の腹部から腰部にかけて斜め上方に向かうように延在している。着用者の臀部を引き上げるためのパワーネットは、着用者の下腹部から斜め下方に延びて着用者の臀部の下側に回り込むように設けられている。
【先行技術文献】
【特許文献】
【０００４】
【特許文献１】特開昭６１−１９４２０１号公報
【特許文献２】特開２００６−３７３０１号公報
【発明の概要】
【発明が解決しようとする課題】
【０００５】
人間の上半身の重みは、腰椎から骨盤の仙骨に伝わった後、骨盤内の左右に存在する２箇所の仙腸関節を介して２つに分かれ、更に骨盤から股関節を介して脚に伝わる。すなわち、人間の仙腸関節および股関節には、人間の上半身の重みによって日常的に負荷が加わっている。したがって、着用者の仙腸関節および股関節をサポートすることができるガードルが存在すれば、多くの人間にとって非常に好ましい。
【０００６】
また、腰椎は、適度な前弯によって、負荷を分散している。そして、腰椎の前弯は、腰椎の下部に存在する仙骨の前傾、すなわち、仙骨を備えている骨盤全体の前傾によって維持されている。したがって、着用者の骨盤を適度に前傾させることができるガードルが存在すれば、多くの人間にとって非常に好ましい。
【０００７】
しかしながら、従来のガードルは、着用者の体形を補整することができるものの、着用者の仙腸関節および股関節をサポートしたり、着用者の骨盤を適度に前傾させたりすることはできない。
【０００８】
そこで、本発明は、着用者の仙腸関節および股関節をサポートすることができるとともに、着用者の骨盤を適度に前傾させることができるガードルを提供することを目的とする。
【課題を解決するための手段】
【０００９】
本発明のガードルは、着用されるための本体と、前記本体を着用している着用者の骨盤を取り囲む位置に前記本体に固定された伸縮性のある当て布である骨盤用布とを備えており、前記骨盤用布は、前記着用者の正面側で前記着用者の前上腸骨棘の正面側を通らず前記前上腸骨棘より下部の正面側を通り、前記着用者の側面側で前記着用者の大転子より上部の側面側を通り、前記着用者の背面側で前記着用者の後上腸骨棘の背面側を通るように環状に延在しており、前記骨盤用布は、延在方向において、延在方向に直交する方向より伸縮性が高いことを特徴とする。
【００１０】
この構成により、本発明のガードルは、骨盤用布のうち着用者の背面側で着用者の後上腸骨棘の背面側である部分が骨盤用布の伸縮性によって着用者側に引き付けられるので、着用者の後上腸骨棘に対して着用者の正面側に存在する着用者の仙腸関節を骨盤が閉じる方向に骨盤用布によって適度にサポートすることができる。また、本発明のガードルは、骨盤用布のうち着用者の側面側で着用者の大転子より上部の側面側である部分が骨盤用布の伸縮性によって着用者側に引き付けられるので、着用者の骨盤の腸骨と、着用者の大腿骨の大転子とを繋ぐ着用者の中臀筋を骨盤用布によって適度にサポートすることができ、結果として、骨盤と、大腿骨との間に形成される股関節を骨盤用布によって適度にサポートすることができる。また、本発明のガードルは、骨盤用布が着用者の正面側で着用者の前上腸骨棘の正面側を通らず前上腸骨棘より下部の正面側を通っているので、骨盤用布のうち着用者の正面側で着用者の前上腸骨棘より下部の正面側である部分が骨盤用布の伸縮性によって着用者側に引き付けられる。したがって、本発明のガードルは、着用者の腸骨のうち前上腸骨棘より下側の部分を介して着用者の骨盤全体を骨盤用布によって適度に前傾させることができる。
【００１１】
また、本発明のガードルは、前記着用者の臀部を引き上げるために前記本体に固定された伸縮性のある当て布である臀部用布を備えており、前記臀部用布は、前記着用者の側面側で前記大転子の側面側を通り、前記着用者の背面側で前記着用者の前記臀部を下から支えるように延在しており、前記臀部用布は、延在方向において、延在方向に直交する方向より伸縮性が高く、前記臀部用布の延在方向の端は、前記着用者の側面側で前記骨盤用布の縁に固定されていても良い。
【００１２】
この構成により、本発明のガードルは、着用者の側面側で着用者の大腿骨の大転子の側面側を通る臀部用布の端が骨盤用布の縁に縫い付けられて固定されているので、骨盤と、大腿骨との間に形成される股関節を含む臀部を臀部用布がその伸縮性によって適度に引き上げることによって、大転子に正面側への適度な力を加えることができる。すなわち、本発明のガードルは、股関節が閉じる方向に臀部用布の伸縮性によって股関節に適度な力を加えることができる。また、本発明のガードルは、骨盤用布によって骨盤の上部が背面側に移動することを抑えている状態で、臀部用布がその伸縮性によって着用者の臀部を適度に引き上げるので、臀部用布による臀部の引き上げに伴う骨盤の下部の引き上げによって、骨盤を更に適度に前傾させることができる。
【００１３】
また、本発明のガードルは、前記着用者の下腹部を引き上げるために前記本体に固定された伸縮性のある当て布である下腹部用布を備えており、前記下腹部用布は、前記着用者の正面側の下部で前記着用者の恥骨の正面側を通り、前記着用者の正面側の上部に向けて幅が広くなるよう延在しており、前記下腹部用布は、延在方向において、延在方向に直交する方向より伸縮性が高く、前記下腹部用布の下部は、前記骨盤用布に重なった状態で前記骨盤用布に固定されていても良い。
【００１４】
この構成により、本発明のガードルは、下腹部用布がその伸縮性によって着用者の下腹部を適度に引き上げるので、下腹部用布による下腹部の引き上げに伴って骨盤の上部に背面側への適度な力を加えることができる。したがって、本発明のガードルは、骨盤が骨盤用布および臀部用布によって過剰に前傾してしまう着用者に対して、骨盤の過剰な前傾を下腹部用布によって抑えることができる。
【発明の効果】
【００１５】
本発明のガードルは、着用者の仙腸関節および股関節をサポートすることができるとともに、着用者の骨盤を適度に前傾させることができる。
【図面の簡単な説明】
【００１６】
【図１】本発明の第１の実施の形態に係るロングタイプのガードルの正面図である。
【図２】図１に示すガードルの背面図である。
【図３】着用されている状態での図１に示すガードルの正面側から見た斜視図である。
【図４】着用されている状態での図１に示すガードルの背面側から見た斜視図である。
【図５】図１に示す本体の正面図である。
【図６】図１に示す本体の背面図である。
【図７】図１に示す骨盤用布と着用者の身体との位置関係を示す着用者の正面図である。
【図８】図１に示す骨盤用布と着用者の身体との位置関係を示す着用者の側面図である。
【図９】図１に示す骨盤用布と着用者の身体との位置関係を示す着用者の背面図である。
【図１０】図１に示す臀部用布と着用者の身体との位置関係を示す着用者の側面図である。
【図１１】図１に示す臀部用布と着用者の身体との位置関係を示す着用者の背面図である。
【図１２】図１に示す下腹部用布と着用者の身体との位置関係を示す着用者の正面図である。
【図１３】図１に示す下腹部用布と着用者の身体との位置関係を示す着用者の側面図である。
【図１４】図１に示す骨盤用布が着用者の正面側で着用者の前上腸骨棘より上部の正面側を通っていると仮定した場合の、骨盤用布と着用者の身体との位置関係を示す着用者の側面図である。
【図１５】本発明の第２の実施の形態に係るショートタイプのガードルの正面図である。
【図１６】図１５に示すガードルの背面図である。
【図１７】着用されている状態での図１５に示すガードルの正面側から見た斜視図である。
【図１８】着用されている状態での図１５に示すガードルの背面側から見た斜視図である。
【発明を実施するための形態】
【００１７】
以下、本発明の実施の形態について、図面を用いて説明する。
【００１８】
（第１の実施の形態）
まず、第１の実施の形態に係るガードルの構成について説明する。
【００１９】
図１は、本実施の形態に係るロングタイプのガードル１０の正面図である。図２は、ガードル１０の背面図である。図３は、着用されている状態でのガードル１０の正面側から見た斜視図である。図４は、着用されている状態でのガードル１０の背面側から見た斜視図である。
【００２０】
図１〜図４に示すように、ガードル１０は、着用されるための本体２０と、本体２０を着用している着用者８０の後述の骨盤８１を取り囲む位置に本体２０に固定された伸縮性のある当て布である骨盤用布３０と、着用者８０の臀部８０ａを引き上げるために本体２０に固定された伸縮性のある当て布である臀部用布４０と、着用者８０の下腹部８０ｂを引き上げるために本体２０に固定された伸縮性のある当て布である下腹部用布５０と、ガードル１０が着用者８０の腰に固定されるために本体２０に固定された環状のウエストゴム６０とを備えている。
【００２１】
本体２０は、縦方向および横方向に伸縮性を有する２ＷＡＹの生地、例えばパワーネットで形成されている。
【００２２】
骨盤用布３０は、１方向に伸縮性を有する１ＷＡＹの生地、例えばサテンネットで形成されている。骨盤用布３０は、矢印３０ａで示す延在方向において、矢印３０ａで示す延在方向に直交する方向より伸縮性が高くなっている。
【００２３】
骨盤用布３０は、本体２０に対して着用者８０側に重ねられて、本体２０に縫い付けられている。
【００２４】
臀部用布４０は、１方向に伸縮性を有する１ＷＡＹの生地、例えばサテンネットで形成されている。臀部用布４０は、矢印４０ａで示す延在方向において、矢印４０ａで示す延在方向に直交する方向より伸縮性が高くなっている。
【００２５】
臀部用布４０は、本体２０に対して着用者８０側に重ねられて、本体２０に縫い付けられている。また、臀部用布４０は、着用者の側面側で、矢印４０ａで示す延在方向の端４０ｂが骨盤用布３０の縁３０ｂに縫い付けられて固定されている。
【００２６】
下腹部用布５０は、１方向に伸縮性を有する１ＷＡＹの生地、例えばサテンネットで形成されている。下腹部用布５０は、矢印５０ａで示す延在方向において、矢印５０ａで示す延在方向に直交する方向より伸縮性が高くなっている。
【００２７】
下腹部用布５０は、本体２０に対して着用者８０側に重ねられて、本体２０に縫い付けられている。また、下腹部用布５０の下部は、骨盤用布３０に重なった状態で骨盤用布３０にも縫い付けられて固定されている。なお、骨盤用布３０および下腹部用布５０の重なりの順番は、何れが着用者８０側であっても良い。
【００２８】
ウエストゴム６０は、本体２０に対して着用者８０側に重ねられて、本体２０に縫い付けられている。また、ウエストゴム６０の一部は、下腹部用布５０の上部に重なった状態で下腹部用布５０にも縫い付けられて固定されている。なお、下腹部用布５０およびウエストゴム６０の重なりの順番は、何れが着用者８０側であっても良い。
【００２９】
図５は、本体２０の正面図である。図６は、本体２０の背面図である。
【００３０】
図５および図６に示すように、本体２０は、着用者８０（図３参照。）の身体の右側の部分に接触する布である右部布２１と、着用者８０の身体の左側の部分に接触する布である左部布２２と、着用者８０の股に接触する布である股部布２３とを備えている。本体２０は、右部布２１、左部布２２および股部布２３が互いの境界部分で縫い合わされることによって構成されている。
【００３１】
図７は、骨盤用布３０と着用者８０の身体との位置関係を示す着用者８０の正面図である。図８は、骨盤用布３０と着用者８０の身体との位置関係を示す着用者８０の側面図である。図９は、骨盤用布３０と着用者８０の身体との位置関係を示す着用者８０の背面図である。
【００３２】
図７〜図９に示すように、骨盤用布３０は、着用者８０の身体の右側の部分に接触する布である右部布３１と、着用者８０の身体の左側の部分に接触する布である左部布３２とを備えている。骨盤用布３０は、右部布３１および左部布３２が互いの境界部分で縫い合わされることによって構成されている。なお、骨盤用布３０は、本実施の形態において右部布３１および左部布３２という２つの部品によって構成されているが、左右対称の構成であれば、１つの部品によって構成されていても良いし、３つ以上の部品によって構成されていても良い。
【００３３】
骨盤用布３０は、着用者８０の骨盤８１を取り囲むように環状に延在している。骨盤用布３０は、着用者８０の正面側で着用者８０の骨盤８１の寛骨８２の腸骨８３の前上腸骨棘８３ａの正面側を通らず前上腸骨棘８３ａより下部の正面側を通っている。骨盤用布３０は、着用者８０の側面側で着用者８０の大腿骨８６の大転子８６ａより上部の側面側を通っている。骨盤用布３０は、着用者８０の背面側で着用者８０の腸骨８３の後上腸骨棘８３ｂの背面側を通っている。
【００３４】
図１０は、臀部用布４０と着用者８０の身体との位置関係を示す着用者８０の側面図である。図１１は、臀部用布４０と着用者８０の身体との位置関係を示す着用者８０の背面図である。
【００３５】
図１０および図１１に示すように、臀部用布４０は、着用者８０の身体の右側の部分に接触する布である右部布４１と、着用者８０の身体の左側の部分に接触する布である左部布４２とを備えている。臀部用布４０は、右部布４１および左部布４２が互いの境界部分で縫い合わされることによって構成されている。なお、臀部用布４０は、本実施の形態において右部布４１および左部布４２という２つの部品によって構成されているが、左右対称の構成であれば、１つの部品によって構成されていても良いし、３つ以上の部品によって構成されていても良い。
【００３６】
臀部用布４０は、着用者８０の側面側で着用者８０の大腿骨８６の大転子８６ａの側面側を通っている。また、臀部用布４０は、着用者８０の背面側で着用者８０の臀部８０ａを下から支えている。
【００３７】
図１２は、下腹部用布５０と着用者８０の身体との位置関係を示す着用者８０の正面図である。図１３は、下腹部用布５０と着用者８０の身体との位置関係を示す着用者８０の側面図である。
【００３８】
図１２および図１３に示すように、下腹部用布５０は、着用者８０の正面側の下部で着用者８０の寛骨８２の恥骨８４の正面側を通っている。下腹部用布５０は、着用者８０の正面側の上部に向けて幅が広くなるよう延在している。
【００３９】
次に、ガードル１０の作用効果について説明する。
【００４０】
ガードル１０は、骨盤用布３０のうち着用者８０の背面側で着用者８０の後上腸骨棘８３ｂの背面側である部分が骨盤用布３０の伸縮性によって着用者８０側に引き付けられるので、着用者８０の後上腸骨棘８３ｂに対して着用者８０の正面側に存在する着用者８０の仙腸関節８１ａを骨盤８１が閉じる方向に骨盤用布３０によって適度にサポートすることができる。したがって、ガードル１０は、例えば、着用者８０の歩行を容易化することができる。
【００４１】
ガードル１０は、骨盤用布３０のうち着用者８０の側面側で着用者８０の大転子８６ａより上部の側面側である部分が骨盤用布３０の伸縮性によって着用者８０側に引き付けられるので、着用者８０の骨盤８１の腸骨８３と、着用者８０の大腿骨８６の大転子８６ａとを繋ぐ着用者８０の中臀筋８８を骨盤用布３０によって適度にサポートすることができる。ガードル１０は、着用者８０の中臀筋８８を骨盤用布３０によって適度にサポートすることができるので、骨盤８１と、大腿骨８６との間に形成される股関節８０ｃを骨盤用布３０によって適度にサポートすることができる。したがって、ガードル１０は、例えば、着用者８０の歩行を容易化することができる。
【００４２】
また、ガードル１０は、左右対称に配置されている骨盤用布３０によって、左右何れかへの骨盤８１の捻じれ、すなわち、骨盤８１の歪みを抑えることもできる。
【００４３】
図１４は、骨盤用布３０が着用者８０の正面側で着用者８０の前上腸骨棘８３ａより上部の正面側を通っていると仮定した場合の、骨盤用布３０と着用者８０の身体との位置関係を示す着用者８０の側面図である。
【００４４】
図１４に示すように、骨盤用布３０が着用者８０の正面側で着用者８０の前上腸骨棘８３ａより上部の正面側を通っていると仮定した場合、ガードル１０は、骨盤用布３０のうち着用者８０の正面側で着用者８０の前上腸骨棘８３ａより上部の正面側である部分が骨盤用布３０の伸縮性によって着用者８０側に引き付けられる。しかしながら、その部分が力を加える対象の腸骨８３の場所は、上部に向かうほど背面側に向かう腸骨稜８３ｃである。したがって、ガードル１０は、骨盤用布３０によって着用者８０の正面側から着用者８０の骨盤８１に適切に力を加えることができない可能性がある。
【００４５】
また、骨盤用布３０が着用者８０の正面側で着用者８０の前上腸骨棘８３ａより上部の正面側を通っていると仮定した場合、ガードル１０は、骨盤用布３０のうち着用者８０の正面側で着用者８０の前上腸骨棘８３ａより上部の正面側である部分によって着用者８０の腸骨稜８３ｃに着用者８０の背面側に向かって力を加えるので、着用者８０の仙腸関節８１ａに骨盤８１が開く方向への力を加えてしまう可能性があり、骨盤８１が閉じる方向に仙腸関節８１ａを適度にサポートするという骨盤用布３０の目的に反してしまう可能性がある。
【００４６】
しかしながら、ガードル１０は、骨盤用布３０が着用者８０の正面側で着用者８０の前上腸骨棘８３ａの正面側を通らず前上腸骨棘８３ａより下部の正面側を通っているので、骨盤用布３０のうち着用者８０の正面側で着用者８０の前上腸骨棘８３ａより下部の正面側である部分が骨盤用布３０の伸縮性によって着用者８０側に引き付けられる。したがって、ガードル１０は、着用者８０の腸骨８３のうち前上腸骨棘８３ａより下側の部分を介して着用者８０の骨盤８１全体を骨盤用布３０によって適度に前傾させることができる。骨盤８１が適度に前傾している場合、骨盤８１の仙骨８５の上部に存在する腰椎８７が適度な前弯を維持することができる。腰椎８７の適度な前弯は、着用者８０の体形を美しく見せるだけでなく、腰痛を予防することができる。
【００４７】
ガードル１０は、臀部用布４０によって着用者８０の臀部８０ａを引き上げるので、着用者８０の臀部８０ａの形状を補整することができる。
【００４８】
ガードル１０は、着用者８０の側面側で着用者８０の大腿骨８６の大転子８６ａの側面側を通る臀部用布４０の端４０ｂが骨盤用布３０の縁３０ｂに縫い付けられて固定されているので、骨盤８１と、大腿骨８６との間に形成される股関節８０ｃを含む臀部８０ａを臀部用布４０がその伸縮性によって適度に引き上げることによって、大転子８６ａに正面側への適度な力を加えることができる。すなわち、ガードル１０は、股関節８０ｃが閉じる方向に臀部用布４０の伸縮性によって股関節８０ｃに適度な力を加えることができる。
【００４９】
ガードル１０は、骨盤用布３０によって骨盤８１の上部が背面側に移動することを抑えている状態で、臀部用布４０がその伸縮性によって着用者８０の臀部８０ａを適度に引き上げるので、臀部用布４０による臀部８０ａの引き上げに伴う骨盤８１の下部の引き上げによって、骨盤８１を更に適度に前傾させることができる。
【００５０】
ガードル１０は、下腹部用布５０によって着用者８０の下腹部８０ｂを引き上げるので、着用者８０の下腹部８０ｂの脂肪を押さえて下腹部８０ｂの形状を補整することができる。
【００５１】
下腹部用布５０は、着用者８０の正面側で本体２０の最上部から着用者８０の恥骨８４の正面側まで延在している。したがって、下腹部用布５０は、着用者８０の恥骨８４から上部に伸びる腹直筋８９の働きを適度にサポートすることができる。
【００５２】
また、下腹部用布５０は、着用者８０の正面側の上部に向けて幅が広くなるよう延在しているので、着用者８０の正面側の下部で骨盤用布３０との重なりを低減することができる。したがって、下腹部用布５０は、骨盤用布３０の効果を阻害することを抑えながら、着用者８０の下腹部８０ｂを引き上げることができる。
【００５３】
ガードル１０は、下腹部用布５０がその伸縮性によって着用者８０の下腹部８０ｂを適度に引き上げるので、下腹部用布５０による下腹部８０ｂの引き上げに伴って骨盤８１の上部に背面側への適度な力を加えることができる。したがって、ガードル１０は、骨盤８１が骨盤用布３０および臀部用布４０によって過剰に前傾してしまう着用者８０に対して、骨盤８１の過剰な前傾を下腹部用布５０によって抑えることができる。
【００５４】
（第２の実施の形態）
まず、第２の実施の形態に係るガードルの構成について説明する。
【００５５】
図１５は、本実施の形態に係るショートタイプのガードル１１０の正面図である。図１６は、ガードル１１０の背面図である。図１７は、着用されている状態でのガードル１１０の正面側から見た斜視図である。図１８は、着用されている状態でのガードル１１０の背面側から見た斜視図である。
【００５６】
図１５〜図１８に示すように、ガードル１１０は、着用されるための本体１２０と、本体１２０を着用している着用者８０の骨盤を取り囲む位置に本体１２０に固定された伸縮性のある当て布である骨盤用布１３０と、着用者８０の臀部８０ａを引き上げるために本体１２０に固定された伸縮性のある当て布である臀部用布１４０と、着用者８０の下腹部８０ｂを引き上げるために本体１２０に固定された伸縮性のある当て布である下腹部用布１５０と、ガードル１１０が着用者８０の腰に固定されるために本体１２０に固定された環状のウエストゴム１６０とを備えている。
【００５７】
本体１２０、骨盤用布１３０、臀部用布１４０、下腹部用布１５０、ウエストゴム１６０の構成は、それぞれ第１の実施の形態に係るガードル１０の本体２０、骨盤用布３０、臀部用布４０、下腹部用布５０、ウエストゴム６０と同様の構成である。したがって、ガードル１１０は、ガードル１０の作用効果と同様の作用効果を得ることができる。
【符号の説明】
【００５８】
１０  ガードル
２０  本体
３０  骨盤用布
３０ｂ  縁
４０  臀部用布
４０ｂ  端
５０  下腹部用布
８０  着用者
８０ａ  臀部
８０ｂ  下腹部
８１  骨盤
８３ａ  前上腸骨棘
８３ｂ  後上腸骨棘
８４  恥骨
８６ａ  大転子
１１０  ガードル
１２０  本体
１３０  骨盤用布
１４０  臀部用布
１５０  下腹部用布
【図１】
2013253335.tif 000003
【図２】
2013253335.tif 000004
【図３】
2013253335.tif 000005
【図４】
2013253335.tif 000006
【図５】
2013253335.tif 000007
【図６】
2013253335.tif 000008
【図７】
2013253335.tif 000009
【図８】
2013253335.tif 000010
【図９】
2013253335.tif 000011
【図１０】
2013253335.tif 000012
【図１１】
2013253335.tif 000013
【図１２】
2013253335.tif 000014
【図１３】
2013253335.tif 000015
【図１４】
2013253335.tif 000016
【図１５】
2013253335.tif 000017
【図１６】
2013253335.tif 000018
【図１７】
2013253335.tif 000019
【図１８】
2013253335.tif 000020